(57)【要約】【課題】プリンタの印字基準を用紙の給紙口への差込位置基準にする場合、排紙された用紙を用紙ストッカに落下させる弾性を有するシートの位置は、予め位置決めすることができない。また、排紙ローラ対の排紙幅全幅に亘る全幅シートを採用すると、強靭であるため湾曲せずに用紙を用紙ストッカに落下させることができない。そこで、差込位置基準にする場合にも、このような不具合を生じさせずに、排紙された用紙を用紙ストッカに落下させるようにする。【解決手段】排紙ローラ対によって排紙される用紙が当接することにより反発力を蓄積してこの反発力によって用紙を用紙ストッカの方向に押圧する弾性を有するシート片３５１を有する。シート片３５１は、排紙ローラ対２０１によって排紙される用紙の仮想的な排紙経路に用紙トレイと反対側から干渉する位置に排紙ローラ対２０１の排紙幅全幅に亘り間欠的に設けられている。【選択図】図５
2010235317.tif 000002
【特許請求の範囲】
【請求項１】
用紙を案内する用紙経路と、
この用紙経路の途中に設けられ、用紙に印字する印字部と、
前記用紙経路の前記印字部より下流側に設けられ、前記用紙経路を案内される用紙を装置上方へ排出する第１および第２のローラを有した排紙ローラ対と、
この排紙ローラ対により排出された用紙の下端を保持する用紙ストッカと、
弾性を有し、前記排紙ローラ対により排出される用紙を押圧するシート片と、
を備え、
前記シート片の一端は、前記第１および第２のローラ間の用紙排出位置に対して前記用紙ストッカの反対側に配置されるとともに、前記排紙ローラ対の上方となる位置で固定され、
前記シート片の他端は、前記第１および第２のローラ間の用紙排出位置に対して前記用紙ストッカ側に配置された自由端であり、上方に向けて屈曲された反返部を有した
ことを特徴とするプリンタ。
【請求項２】
前記第１の排紙ローラは、軸方向に所定の間隔で配置された複数のローラ体と、この複数のローラ体よりも外径の大きい歯車部と、を有し、
前記歯車部は、前記用紙の下端を前記用紙ストッカ方向へ案内することを特徴とする請求項１に記載のプリンタ。
【請求項３】
前記シート片は、前記複数のローラ体間に対向する位置に配置されることを特徴とする請求項２に記載のプリンタ。
【請求項４】
前記第２の排紙ローラは、前記第１の排紙ローラの複数の前記ローラ体と対向配置される複数のローラ体を有することを特徴とする請求項３に記載のプリンタ。
【請求項５】
前記排紙ローラ対の上方を覆うトップカバーと、
前記トップカバーの前記用紙ストッカ側の端部に形成され、この端部の下端より上端が前記用紙ストッカ側に延びるよう形成された傾斜部と、
をさらに有し、
前記シート片の一端は、前記トップカバーの下端に固定されていることを特徴とする請求項１〜４のうちいずれか一つに記載のプリンタ。
【発明の詳細な説明】
【技術分野】
【０００１】
本発明は、単票用紙等の用紙を搬送して印字を行うプリンタに関する。
【背景技術】
【０００２】
図９は、従来のプリンタ１の一部を概略的に示す側面図である。プリンタ１のハウジング（図示せず）内部には、単票用紙Ｐ（図１０参照）を案内する用紙経路２が形成されている。用紙経路２は、プリンタ１の前面側（図９中左側）に設けられた給紙口３と、プリンタ１の上面に設けられた排紙口４とを連絡している。このような用紙経路２に沿って、搬送部及び印字部（いずれも図示せず）が設けられている。排紙口４には、単票用紙Ｐを上方に向けて排紙する排紙ローラ対５が配置されている。排紙ローラ対５は、対向配置された第１のローラ５ａと第２のローラ５ｂとによって構成されている。
【０００３】
排紙ローラ対５の排紙方向は、僅かに背面側（図９中右側）に傾斜している。したがって、単票用紙Ｐは、プリンタ１の背面側に設けられた用紙トレイ６に向けて排紙される。用紙トレイ６は、排紙ローラ対５によって排紙される単票用紙Ｐを支持するものであり、排紙ローラ対５に隣接させてその支持した単票用紙Ｐの下端を保持する用紙ストッカ７を有する。
【０００４】
そして、排紙ローラ対５の上方には、弾性を有するＰＥＴ（Ｐｏｌｙｅｔｈｙｌｅｎｅ  ｔｅｒｅｐｈｔｈａｌａｔｅ：ポリエチレンテレフタレート）製のシート３１が配置されている。シート３１は、その幅方向の長さが一例として、１０ｍｍ〜２０ｍｍ程度であり、用紙トレイ６側（図９中右側）を自由端とし、反対側（図９中左側）が位置固定されている。
【０００５】
図１０は、従来のプリンタ１が有する排紙ローラ対５の周辺を拡大して示す側面図である。排紙ローラ対５によって上方に向けて排紙される単票用紙Ｐは、シート３１に当接する。すると、シート３１はその自由端が図１０中実線で示すように湾曲し、反発力を蓄積する。そして、排紙ローラ対５による単票用紙Ｐの排紙が終了するとシート３１は復元して、図１０中二点鎖線で示すように位置復帰する。位置復帰するシート３１に単票用紙Ｐが押圧されることによって、単票用紙Ｐの端部は用紙ストッカ７に落下する。こうして、単票用紙Ｐは、図１０中二点鎖線で示すように、用紙トレイ６に支持されてその下端が用紙ストッカ７に保持される。
【０００６】
ところで、従来のプリンタには、印字基準が端面であるプリンタ（端面基準）と、印字基準がセンターであるプリンタ（センター基準）とがある。端面基準のプリンタでは、用紙を給紙口の端面（左端面又は右端面）に寄せて差し込む。また、センター基準のプリンタでは、給紙口のセンター位置と用紙のセンター位置とを合わせて用紙を給紙口に差し込む。そして、端面基準及びセンター基準いずれのプリンタであっても、用紙は給紙口に差し込まれた位置のまま搬送されて排紙口から排紙される。
【０００７】
したがって、前述したＰＥＴ製のシートは、排紙される単票用紙が当接するようにそのプリンタの印字基準に応じて配置されることになる。つまり、ＰＥＴ製のシートは、プリンタが端面基準であれば、排紙口の端面（左端面又は右端面）に寄せた位置に配置され、センター基準であれば、排紙口のセンター位置に配置される。
【０００８】
図１１は、従来の左端面基準の左端シート４１を示す模式図である。左端シート４１は、プリンタ１を正面側から見て左端側（図１１中では右側）に寄せた位置に配置されている。左端シート４１が排紙口４の左端に寄せた位置に配置されているため、左端に寄せて排紙される単票用紙Ｐは、排紙に際して左端シート４１に当接することになる。
【０００９】
このようなプリンタとしては、情報を表示する表示デバイスや入力デバイスとしてのキーボード等を設けて、納品書や請求書等の単票用紙を印字発行する事務機に適用したものが広く普及している（特許文献１参照）。
【発明の概要】
【発明が解決しようとする課題】
【００１０】
従来の端面基準やセンター基準のプリンタは、用紙の差し込み位置をプリンタの使用者に強要するものである。用紙の位置決めの作業はプリンタの使用者にとって煩わしい作業である。
【００１１】
そこで、用紙位置決めの煩わしさを解消するため、給紙口に差し込まれた位置に応じて用紙に印字するプリンタ（差込位置基準）の開発が現在進行中である。
【００１２】
しかし、プリンタを差込位置基準にしてしまうと用紙の排紙位置も任意となってしまうため、端面基準のプリンタやセンター基準のプリンタのように、ＰＥＴ製のシートを予め位置決めして配置することができない。
【００１３】
そこで、差込位置基準のプリンタの開発過程で、排紙ローラ対の排紙幅全幅に亘る全幅シートの採用を試みた。図１２に基づいて全幅シートを採用したプリンタについて説明する。
【００１４】
図１２は、全幅シート５１を示す模式図である。全幅シート５１は、排紙ローラ対５の排紙幅全幅に亘り配置されているため、排紙ローラ対５によって排紙される単票用紙Ｐは、いずれの位置から排紙されたとしても、全幅シート５１に当接する。
【００１５】
ところが、全幅シート５１は、従来の端面基準やセンター基準のプリンタで用いられていたシート３１（例えば、左端シート４１）よりも大きく比較的強靭であるため、単票用紙Ｐが当接する際に湾曲しないという問題が生じてしまう。
【００１６】
図１３は、全幅シート５１を採用した場合での「腰」の弱い単票用紙Ｐの排紙状態を示す側面図である。なお、「腰」とは、剛度を意味し、用紙に曲げの力を与えたときの抵抗性を表すものである。単票用紙Ｐは、大きさ等の形状及び厚みが種類により異なるため、その種類に応じて「腰」が異なる。単票用紙Ｐの「腰」が弱い場合、排紙ローラ対５によって排紙される単票用紙Ｐは湾曲しない全幅シート５１によってその排紙過程で折り返されてしまう。図１４は、全幅シート５１を採用した場合での「腰」の強い単票用紙Ｐの排紙状態を示す側面図である。単票用紙Ｐの「腰」が強い場合、排紙ローラ対５によって排紙される単票用紙Ｐは、湾曲しない全幅シート５１の下面を通って用紙トレイ６上を滑る。そして、排紙ローラ対５による排紙が終了した際には、単票用紙Ｐは、その「腰」の強さから形状が安定し、図１４に示すように、端部が排紙ローラ対５に載ったままの状態が維持されてしまう。
【００１７】
つまり、差込位置基準のプリンタ１で、排紙ローラ対５によって任意の位置から排紙される単票用紙Ｐに対応させる目的で全幅シート５１を採用してしまうと、排紙される単票用紙Ｐの当接によって全幅シート５１が湾曲しないため、排紙が終了した単票用紙Ｐの端部を用紙ストッカ７に落下させることができない。
【００１８】
本発明の目的は、差込位置基準のプリンタで排紙ローラ対によって任意の位置から用紙が排紙される場合に、全幅シートを採用した場合のような不具合を生じさせず、排紙された用紙の端部を用紙ストッカに落下させることである。
【課題を解決するための手段】
【００１９】
本発明にかかるプリンタにあっては、用紙を案内する用紙経路と、この用紙経路の途中に設けられ、用紙に印字する印字部と、前記用紙経路の前記印字部より下流側に設けられ、前記用紙経路を案内される用紙を装置上方へ排出する第１および第２のローラを有した排紙ローラ対と、この排紙ローラ対により排出された用紙の下端を保持する用紙ストッカと、弾性を有し、前記排紙ローラ対により排出される用紙を押圧するシート片と、を備え、前記シート片の一端は、前記第１および第２のローラ間の用紙排出位置に対して前記用紙ストッカの反対側に配置されるとともに、前記排紙ローラ対の上方となる位置で固定され、前記シート片の他端は、前記第１および第２のローラ間の用紙排出位置に対して前記用紙ストッカ側に配置された自由端であり、上方に向けて屈曲された反返部を有したことを特徴の一つとする。
【発明の効果】
【００２０】
本発明によれば、排紙ローラ対の仮想的な排紙経路に用紙トレイと反対側から干渉する弾力を有するシート片が排紙ローラ対の排紙幅全幅に亘り間欠的に設けられているため、排紙ローラ対によって排紙される用紙はいずれかのシート片に当接する。また、各々のシート片は、全幅シートよりも小さく強靭さは低いため、用紙の当接によって湾曲する。したがって、シート片は、排紙される用紙によって湾曲して反発力を蓄積しこの反発力によって用紙を用紙ストッカの方向に押圧することになる。これにより、いずれの位置から用紙が排紙される場合にも、排紙が終了した用紙の端部を用紙ストッカに落下させることができる。また、反返部により、バックフィードされる単票用紙がシートに引っ掛かってしまうことが回避される。
【図面の簡単な説明】
【００２１】
【図１】事務機を示す斜視図である。
【図２】別の方向から見た事務機を示す斜視図である。
【図３】事務機を示す側面図である。
【図４】裏面側から見たトップカバーを示す斜視図である。
【図５】排紙ローラ対をトップカバーに取り付けられたシートと共に示す斜視図である。
【図６】排紙ローラ対を拡大して示す斜視図である。
【図７】単票用紙の排紙状態を示す側面図である。
【図８】排紙される単票用紙がシート片に当接した状態を示す模式図である。
【図９】従来のプリンタの一部を概略的に示す側面図である。
【図１０】従来のプリンタが有する排紙ローラ対の周辺を拡大して示す側面図である    。
【図１１】従来の左端面基準の左端シートを示す模式図である。
【図１２】全幅シートを示す模式図である。
【図１３】全幅シートを採用した場合での「腰」の弱い単票用紙の排紙状態を示す側面図である。
【図１４】全幅シートを採用した場合での「腰」の強い単票用紙の排紙状態を示す側面図である。
【発明を実施するための形態】
【００２２】
本発明の一実施の形態を図１ないし図８に基づいて説明する。本実施の形態のプリンタは、キーボード１０５の操作によって入力されたデータに基づく情報を単票用紙Ｐに印字する事務機１０１への適用例である。
【００２３】
図１は、事務機１０１を示す斜視図である。ハウジング１０２の前面には、タッチパネル付きの表示画面１０４を有する表示デバイス１０３が設けられている。表示デバイス１０３の下方位置には、複数のキー１０６が配列されたキーボード１０５が配置されている。キーボード１０５は、ハウジング１０２とは別体であり、ハウジング１０２に対して固定されて取り付けられているものではない。キーボード１０５とハウジング１０２とは、ケーブル（図示せず）によって接続されている。キーボード１０５の操作によって、ハウジングに内蔵された情報処理部（図示せず）に対してデータの入力が実行される。情報処理部は、入力されたデータに基づく情報を表示デバイス１０３の表示画面１０４に表示させる。
【００２４】
さらに、表示デバイス１０３の下方位置には、納品書や請求書等である単票用紙Ｐが差し込まれる給紙口１０７が設けられている。給紙口１０７には、差し込みに際して単票用紙Ｐが載置される用紙テーブル１３１がハウジング１０２の一部によって形成されている。用紙テーブル１３１の上面には、一対の用紙ガイド１３２がスライド自在に設けられている。
【００２５】
図２は、別の方向から見た事務機１０１を示す斜視図である。図２に示すように、ハウジング１０２の上面にはプラスチック製の透明部材であるトップカバー１０９が設けられている。トップカバー１０９は、ハウジング１０２に対して着脱自在となっている。ハウジング１０２の背面側には、起立状態（図３参照）に変位自在な用紙トレイ１１０が配置されている。そして、トップカバー１０９と用紙トレイ１１０との間には、単票用紙Ｐが排紙される排紙口１０８が設けられている。
【００２６】
図３は、事務機１０１を示す側面図である。図３中では、ハウジング１０２の一部を切り欠いて示している。ハウジング１０２の内部には、用紙テーブル１３１と用紙ガイド１３２とを有する給紙口１０７と、ハウジング１０２の上面に設けられた排紙口１０８とを連絡する用紙経路１２１が形成されている。また、ハウジング１０２の内部には、用紙経路１２１に沿って単票用紙Ｐを搬送する搬送部（図示せず）が設けられている。単票用紙Ｐは搬送部によって搬送されて用紙経路１２１を案内される。また、用紙経路１２１には印字部（図示せず）が配置されている。印字部は、搬送部によって搬送されて用紙経路１２１を案内される単票用紙Ｐに対して、情報処理部の制御によって、入力されたデータに基づく印字情報を印字する印字動作を実行する。
【００２７】
本実施の形態では、単票用紙Ｐは、給紙口１０７に差し込まれた位置が維持されたまま搬送部によって用紙経路１２１を搬送されて排紙口１０８に案内される。
【００２８】
用紙経路１２１の終端領域に位置する排紙口１０８には、排紙口１０８に案内された単票用紙Ｐをその回転によって上方に向けて排紙する排紙ローラ対２０１が配置されている。排紙ローラ対２０１は、対向配置された前面側（図３中左側）の第１のローラ２１１と背面側（図３中右側）の第２のローラ２２１とを有する。
【００２９】
排紙ローラ対２０１の上方への排紙方向は、起立状態の用紙トレイ１１０に向けてやや傾いている。したがって、単票用紙Ｐは、排紙ローラ対２０１によって用紙トレイ１１０に向けて排紙されることになる。用紙トレイ１１０は、排紙ローラ対２０１によって排紙される単票用紙Ｐを支持する。
【００３０】
排紙ローラ対２０１と用紙トレイ１１０との間の位置には、排紙ローラ対２０１に隣接させて用紙ストッカ１１１が配置されている。用紙ストッカ１１１は、用紙トレイ１１０に支持された状態の単票用紙Ｐの下端を保持するものである。用紙ストッカ１１１は、単票用紙Ｐを５０枚程度保持可能に形成されている。
【００３１】
そして、本実施の形態では、排紙ローラ対２０１の上方位置には、弾性を有するＰＥＴ（Ｐｏｌｙｅｔｈｙｌｅｎｅ  ｔｅｒｅｐｈｔｈａｌａｔｅ）製のシート３０１が配置されている。シート３０１は、トップカバー１０９の裏面側に固定的に取り付けられている。
【００３２】
図４は、裏面側から見たトップカバー１０９を示す斜視図である。図４（ａ）に示すように、トップカバー１０９の裏面側の一部に、ＰＥＴ製のシート３０１が取り付けられている。シート３０１は、トップカバー１０９の幅方向に長い長尺部３７１と、長尺部３７１の一辺から延出した長方形状の複数のシート片３５１とから構成されている。各々のシート片３５１は間欠的に配置されている。シート片３５１と長尺部３７１とは一体である。
【００３３】
シート片３５１の長尺部３７１側とは反対側の端部は、トップカバー１０９の方向に反返った反返部３５１ａとなっている。
【００３４】
シート３０１は、トップカバー１０９とは別体である。そのため、シート３０１は、図４（ｂ）に示すように、両面テープ等によってトップカバー１０９の裏面側に固着される。この際、シート３０１の長尺部３７１のみがトップカバー１０９に対して固定される。一方、シート片３５１は、トップカバー１０９のみならずその他の部材に対しても何ら固定されていない。したがって、シート片３５１の反返部３５１ａは、自由端となっている。
【００３５】
図５は、排紙ローラ対２０１をトップカバー１０９に取り付けられたシート３０１と共に示す斜視図である。シート３０１が有する複数のシート片３５１が、排紙ローラ対２０１の上方に配置されている。
【００３６】
排紙ローラ対２０１を構成する第１のローラ２１１は、一本の第１の軸２１２と、この第１の軸２１２に所定の間隔で取り付けられた複数のゴム製の第１のゴムローラ体２１３とを主体に構成されている。第２のローラ２２１も同様に、一本の第２の軸２２２と、この第２の軸２２２に所定の間隔で取り付けられた複数のゴム製の第２のゴムローラ体２２３とを主体に構成されている。第１のゴムローラ体２１３と第２のゴムローラ体２２３とは、対向配置した位置に配置されている。対向配置された第１のゴムローラ体２１３と第２のゴムローラ体２２３とは、ローラ体対を構成する。
【００３７】
第１のローラ２１１は、第１の軸２１２に複数の第１のゴムローラ体２１３が取り付けられた構成である。そのため、第１のゴムローラ体２１３同士の間には、第１の軸２１２の外周面が露出した露出部２１２ａが形成されている。第２のローラ２２１についても同様に、第２のゴムローラ体２２３同士の間に、第２の軸２２２の外周面が露出した露出部２２２ａが形成されている。シート３０１が有する複数のシート片３５１は、露出部２１２ａ及び露出部２２２ａの上方位置に配置されている。
【００３８】
図６は、排紙ローラ対２０１を拡大して示す斜視図である。まず、事務機１０１の背面側（図６中手前側）の第２のローラ２２１について説明する。前述したように、第２のローラ２２１は、複数の第２のゴムローラ体２２３を有する。なお、図６中では一つの第２のゴムローラ体２２３のみ示している。
【００３９】
図６に示すように、第２のゴムローラ体２２３は、平滑な外周面を有する平滑部２２３ａと、歯車状の外周面を有する歯車部２２３ｂと、平滑部２２３ａと歯車部２２３ｂとを連結する連結部２２３ｃとから構成されている。平滑部２２３ａ、歯車部２２３ｂ、及び、連結部２２３ｃは、一体に構成されている。また、第２のゴムローラ体２２３がゴム製であるため、平滑部２２３ａ、歯車部２２３ｂ、及び、連結部２２３ｃも当然にゴム製である。平滑部２２３ａは歯車部２２３ｂよりも軸方向の長さが長く形成されている。また、連結部２２３ｃは、平滑部２２３ａ及び歯車部２２３ｂよりも小さい外径を有する。そして、このような第２のゴムローラ体２２３の両側には、第２の軸２２２の外周面が露出した露出部２２２ａが形成されている。
【００４０】
次に、第１のゴムローラ体２１３について説明する。第１のゴムローラ体２１３は、第２のゴムローラ体２２３に対向配置されている。第１のゴムローラ体２１３は、第２のゴムローラ体２２３と同様の構成を有する。つまり、第１のゴムローラ体２１３は、平滑な外周面を有する平滑部２１３ａと、歯車状の外周面を有する歯車部２１３ｂと、平滑部２１３ａと歯車部２１３ｂとを連結する連結部２１３ｃとから構成されている。平滑部２１３ａ、歯車部２１３ｂ、及び、連結部２１３ｃは、一体に構成されている。また、第１のゴムローラ体２１３がゴム製であるため、平滑部２１３ａ、歯車部２１３ｂ、及び、連結部２１３ｃも当然にゴム製である。平滑部２１３ａは歯車部２１３ｂよりも軸方向の長さが長く形成されている。また、連結部２１３ｃは、平滑部２１３ａ及び歯車部２１３ｂよりも小さい外径を有する。そして、このような第１のゴムローラ体２１３の両側には、第１の軸２１２の外周面が露出した露出部２１２ａが形成されている。
【００４１】
対向配置されている第１のゴムローラ体２１３と第２のゴムローラ体２２３とが同様の構成であることから、第１のゴムローラ体２１３の平滑部２１３ａと第２のゴムローラ体２２３の平滑部２２３ａとは対向配置されている。また、第１のゴムローラ体２１３の歯車部２１３ｂと第２のゴムローラ体２２３の歯車部２２３ｂとは、対向配置されており、噛合している。歯車部２１３ｂと歯車部２２３ｂとは、噛合状態で回転する。
【００４２】
このような構成において、給紙口１０７に差し込まれた単票用紙Ｐは、給紙口１０７での差し込まれた位置のまま用紙経路１２１を搬送されて排紙ローラ対２０１によって排紙される。
【００４３】
図７は、単票用紙Ｐの排紙状態を示す側面図である。図７に示すように、シート３０１が有するシート片３５１の配置位置は、排紙ローラ対２０１によって排紙される単票用紙Ｐに用紙トレイ１１０と反対側から干渉する位置、換言すれば、排紙ローラ対２０１によって排紙される単票用紙Ｐの仮想的な排紙経路に用紙トレイ１１０と反対側から干渉する位置である。したがって、排紙ローラ対２０１によって排紙される単票用紙Ｐは、シート片３５１に当接する。
【００４４】
図８は、排紙される単票用紙Ｐがシート片３５１に当接した状態を示す模式図である。シート片３５１は、排紙ローラ対２０１（図８中では図示せず）の排紙幅全幅に亘って設けられている。そして、図８に示すように、一つのシート片３５１と別のシート片３５１との間の幅長Ｗ２は、本実施の形態の事務機１０１で使用される単票用紙Ｐの幅長Ｗ１よりも短い。また、シート３０１の側端からこの側端から最も近いシート片３５１までの距離である幅長Ｗ３も、単票用紙Ｐの幅長Ｗ１より短い。したがって、矢印の方向に排紙される単票用紙Ｐは、給紙口１０７の幅方向のどの位置から排紙されてもシート片３５１に当接する。
【００４５】
本実施の形態の各々のシート片３５１は、幅長が排紙口１０８の全幅に亘るようなシート（全幅シート５１（図１２参照））よりも小さく強靭さは低い。そのため、シート片３５１は、排紙される単票用紙Ｐの当接によって湾曲する。
【００４６】
図７に基づく説明に戻る。シート片３５１は、当接する単票用紙Ｐによって（図７中Ｐ１）、図７に示すように湾曲して反発力を蓄積する。そして、排紙ローラ対２０１による単票用紙Ｐの排紙が終了すると、反発力を蓄積していたシート片３５１は復元して位置復帰する。位置復帰するシート片３５１に押圧されることによって、単票用紙Ｐの端部は用紙ストッカ１１１に落下する（図７中Ｐ３）。こうして、排紙ローラ対２０１によって排紙ローラ対２０１の軸方向のどの位置から単票用紙Ｐが排紙された場合にも、本実施の形態によれば、排紙が終了した単票用紙Ｐの端部を用紙ストッカ１１１に落下させることができる。
【００４７】
また、本実施の形態では、単票用紙Ｐの端部は、排紙ローラ対２０１による排紙終了後に第２のローラ２２１の歯車部２２３ｂの凹部に嵌まり込んだ状態となる（図７中Ｐ２）。ここで、本実施の形態では、排紙ローラ対２０１は、単票用紙Ｐの排紙終了後も一定時間回転が継続される。つまり、単票用紙Ｐの端部が歯車部２２３ｂの凹部に嵌まり込んだ状態で第２のローラ２２１（第２のゴムローラ体２２３）の回転が継続して実行されることにより、この単票用紙Ｐの端部は用紙ストッカ１１１に向けて送り出される。こうして、単票用紙Ｐの用紙ストッカ１１１への落下が支援される。
【００４８】
また、本実施の形態のシート片３５１は、図５に基づいて説明したように、自由端である先端部分が反り返った反返部３５１ａとなっている。これによれば、排紙ローラ対２０１が排紙中の単票用紙Ｐをバックフィードさせた場合にも、バックフィードされる単票用紙Ｐは接触する反返部３５１ａが形成している面を滑る。そのため、バックフィードされる単票用紙Ｐがシート片３５１に引っ掛かってしまうことが回避される。
【００４９】
なお、本実施の形態ではシート片３５１が長方形である例を示したが、シート片３５１の形状は長方形に限られることはない。例えば、シート片３５１の形状は、反返部３５１ａの幅長が長尺部３７１側の幅長よりも幅狭な台形形状であっても良い。
【符号の説明】
【００５０】
１０１…事務機（プリンタ）、１０３…表示デバイス、１０５…キーボード（入力デバイス）、１１０…用紙トレイ、１１１…用紙ストッカ、１２１…用紙経路、２０１…排紙ローラ対、２１３…第１のゴムローラ体（ローラ体対）、２１３ｂ…歯車部、２２３…第２のゴムローラ体（ローラ体対）、２２３ｂ…歯車部、３５１…シート片、Ｐ…単票用紙（用紙）。
【先行技術文献】
【特許文献】
【００５１】
【特許文献１】特開平５−２０１０９１号公報
【図１】
2010235317.tif 000003
【図２】
2010235317.tif 000004
【図３】
2010235317.tif 000005
【図４】
2010235317.tif 000006
【図５】
2010235317.tif 000007
【図６】
2010235317.tif 000008
【図７】
2010235317.tif 000009
【図８】
2010235317.tif 000010
【図９】
2010235317.tif 000011
【図１０】
2010235317.tif 000012
【図１１】
2010235317.tif 000013
【図１２】
2010235317.tif 000014
【図１３】
2010235317.tif 000015
【図１４】
2010235317.tif 000016